(57)【要約】【課題】本発明は、電子機器に関するもので、使い勝手を向上させることを目的とするものである。【解決手段】そしてこの目的を達成するために、本発明は、赤外線リモコン１１からの光を表示器１０の赤外線受光部１２が受光した状態においては、表示器９は赤外線受光部１２と無線受信部１４の内、無線受信部１４によるリモコン操作へ切り換える構成としたものであるので、自分の視聴している表示器９または１０をリモコン操作する際に、隣の者に声を掛け、リモコンの受け渡しをする必要がなく、極めて使い勝手の良いものとなるのである。【選択図】図３
2015084460.tif 000002
【特許請求の範囲】
【請求項１】
第１、第２の表示器と、これら第１、第２の表示器に接続された制御器とを備え、
前記表示器は、赤外線リモコンからの光を受光する赤外線受光部と、無線リモコンからの電波を受信する無線受信部と、これらの赤外線受光部および無線受信部に接続された制御部とを有し、
前記制御器は、赤外線リモコンからの光を第１の表示器の赤外線受光部が受光した状態においては、第２の表示器は赤外線受光部と無線受信部の内、無線受信部によるリモコン操作へ切り換える構成とした電子機器。
【請求項２】
制御器は、第２の表示器と、無線リモコンとのペアリングが成立した状態において、無線リモコンによる第２の表示器のリモコン操作を実行させる構成とした請求項１に記載の電子機器。
【請求項３】
第１の表示器は、左右に並んだ車両前席の一方の背面側に設置し、第２の表示器は、左右に並んだ車両前席の他方の背面側に設置した請求項１または２に記載の電子機器。
【発明の詳細な説明】
【技術分野】
【０００１】
本発明は、たとえば、自動車内に設置される電子機器に関するものである。
【背景技術】
【０００２】
従来のこの種電子機器の構成は、以下のようになっていた。
【０００３】
すなわち、左右に並んだ車両前席の一方の背面側に第１の表示器を設置し、他方の背面側には、第２の表示器を設置した構成となっていた。
【０００４】
また、これらの第１、第２の表示器は、それぞれ赤外線リモコンからの光を受光する赤外線受光部を備えていた。
【０００５】
つまり、一つの赤外線リモコンによって、左右２つの表示器を選択的にリモコン操作することができるようになっていた（例えば下記特許文献１）。
【先行技術文献】
【特許文献】
【０００６】
【特許文献１】特開２０１１−１８８４５３号公報
【発明の概要】
【発明が解決しようとする課題】
【０００７】
上記従来例においては、一つの赤外線リモコンによって、左右２つの表示器を選択的にリモコン操作することができるようになっていた。
【０００８】
近年のこの種電子機器においては、左右の表示器で別々の映像を視聴することができるので、後席に座る二人は、自分が視聴している表示器の映像をリモコン操作するためには、まず、リモコンに設けられた左右切り替えスイッチを切り換え、次に、自分の表示器の映像をリモコン操作するようになっていた。
【０００９】
つまり、自分が視聴している表示器の映像をリモコン操作するためには、隣で他の表示器の映像をリモコン操作している者に対してリモコンの手渡しを要求しなければならず、このような操作は、実際上極めて多くなるので、自分にも隣の者にも極めて煩わしく、使い勝手の悪いものであった。
【００１０】
そこで本発明は、使い勝手を向上させることを目的とする。
【課題を解決するための手段】
【００１１】
そして、この目的を達成するために本発明は、第１、第２の表示器と、これら第１、第２の表示器に接続された制御器とを備え、前記表示器は、赤外線リモコンからの光を受光する赤外線受光部と、無線リモコンからの電波を受信する無線受信部と、これらの赤外線受光部および無線受信部に接続された制御部とを有し、前記制御器は、赤外線リモコンからの光を第１の表示器の赤外線受光部が受光した状態においては、第２の表示器は赤外線受光部と無線受信部の内、無線受信部によるリモコン操作へ切り換える構成とし、これにより所期の目的を達成するものである。
【発明の効果】
【００１２】
以上のように、本発明は、第１、第２の表示器と、これら第１、第２の表示器に接続さ
れた制御器とを備え、前記表示器は、赤外線リモコンからの光を受光する赤外線受光部と、無線リモコンからの電波を受信する無線受信部と、これらの赤外線受光部および無線受信部に接続された制御部とを有し、前記制御器は、赤外線リモコンからの光を第１の表示器の赤外線受光部が受光した状態においては、第２の表示器は赤外線受光部と無線受信部の内、無線受信部によるリモコン操作へ切り換える構成としたものであるので、使い勝手を向上することができる。
【００１３】
すなわち、本発明においては、赤外線リモコンからの光を第１の表示器の赤外線受光部が受光した状態においては、第２の表示器は赤外線受光部と無線受信部の内、無線受信部によるリモコン操作へ切り換える構成としたものであるので、自分の視聴している表示器をリモコン操作する際に、隣の者に声を掛け、リモコンの受け渡しをする必要がなく、極めて使い勝手の良いものとなるのである。
【図面の簡単な説明】
【００１４】
【図１】本発明の一実施形態における電子機器を搭載した自動車を示す平面図
【図２】同要部の斜視図
【図３】同電子機器の制御ブロック図
【図４】同電子機器の制御ブロック図
【図５】同電子機器の赤外線リモコンの制御ブロック図
【図６】同電子機器の無線リモコンの制御ブロック図
【図７】同電子機器の動作フローチャート
【発明を実施するための形態】
【００１５】
（実施の形態１）
図１において、１は自動車を示し、その車内２前方部分には、ハンドル３と、映像再生機器４が設けられている。
【００１６】
また、ハンドル３の後方には、運転席５と、助手席６が並んで配置されている。さらに、運転席５と助手席６との間には、制御器７が配置されている。また、運転席５と助手席６の後方には、後席８が配置されている。
【００１７】
前記運転席５と助手席６の背面側には、図２に示す如く、表示器９、１０が設置され、これらの表示器９、１０は、制御器７に接続されている。
【００１８】
また、前記表示器９、１０は、それぞれ図２に示す赤外線リモコン１１からの光を受光する赤外線受光部１２と、無線リモコン１３からの電波を受信する無線受信部１４と、これらの赤外線受光部１２および無線受信部１４に接続された制御部１５とを有している。
【００１９】
また、制御器７は、図４に示す如く、映像再生機器４との通信部１６と、表示器９、１０との通信部１７と、これらの通信部１６、１７に接続された制御部１８とを備えている。
【００２０】
さらに、赤外線リモコン１１は、図５に示す如く、赤外線の発光素子１９と、それに接続された制御部２０と、この制御部２０に接続された入力部２１、および、切換スイッチ２２とを備えている。
【００２１】
また、無線リモコン１３は、例えば、携帯電話であって、その電話機能部分は、よく知られたものであるので、無線リモコン部分だけを図６に示している。
【００２２】
つまり、図３に示す表示器９、１０の無線受信部１４との通信を行う通信部２３と、そ
れに接続された制御部２４と、この制御部２４に接続された入力部２５、メモリ２６とを備えている。
【００２３】
以上の構成において、後席８に二人の人物が座っており、一方が表示器９の視聴をし、他方が表示器１０の視聴をしている状態について説明する。この場合、例えば、表示器１０を視聴している者が、まず、赤外線リモコン１１によってその映像をリモコン操作しているとする。
【００２４】
このとき、赤外線リモコン１１によって、表示器１０をリモコン操作するためには、図５に示す切換スイッチ２２を切り換え操作することで、この赤外線リモコン１１を左側の表示器１０専用に設定することが必要になる。
【００２５】
そして、この切換スイッチ２２の切り換えを行った後に、入力部２１により、映像再生機器４から、例えば、ニュースを視聴するリモコン操作を行う。
【００２６】
すると、制御器７は、赤外線リモコン１１が表示器１０のリモコン操作に活用されたことを認識し、それとともに赤外線リモコン１１による要望に応じて、映像再生機器４の操作を行わせることになる（図７のＳ１、Ｓ２、Ｓ３）。
【００２７】
また、制御器７は、上述した赤外線リモコン１１による表示器１０のリモコン操作により、表示器９の制御部１５に対して、リモコン操作は無線受信部１４で受けるように指示をする（図７のＳ２）。
【００２８】
したがって、右に座る者は、自分が保有する無線リモコン１３を用いて右側の表示器９をリモコン操作することになる。
【００２９】
無線リモコン１３は、上述の如く、例えば携帯電話であって、良く知られているように図６に示すメモリ２６内には、リモコン操作を実行するためのソフトウェアが収納されている。
【００３０】
ただし、このように無線リモコン１３で表示器９のリモコン操作を行うためには、この無線リモコン１３と表示器９の無線受信部１４とのペアリングが必要で、これは良く知られているＢｌｕｅ−ｔｏｏｔｈ（登録商標）にて実行される。
【００３１】
そして、このペアリングが実行されておれば、表示器９は、無線リモコン１３によって操作を行うことができる（図７のＳ４、Ｓ５）。
【００３２】
もちろん、このペアリングが実行されていなければ、赤外線リモコン１１の切換スイッチ２２により、右側を有効に切換え、表示器９を赤外線リモコン１１によって、操作しなければならなくなる（図７のＳ６）。
【００３３】
なお、このような表示器９、１０での同時視聴時には、それぞれ音声は、ヘッドフォンによって聞くようになっているが、このことは良く知られたことであるので、図３には記載していない。
図３に示したスピーカ２７は、例えば、映像再生機器４において、例えば、音楽を再生している状況において、車内２において音楽をみんなで聴く場合に、活用されるものである。
【産業上の利用可能性】
【００３４】
以上のように、本発明においては、赤外線リモコンからの光を第１の表示器の赤外線受
光部が受光した状態においては、第２の表示器は赤外線受光部と無線受信部の内、無線受信部によるリモコン操作へ切り換える構成としたものであるので、自分の視聴している表示器をリモコン操作する際に、隣の者に声を掛け、リモコンの受け渡しをする必要がなく、極めて使い勝手の良いものとなるのである。
【００３５】
したがって、車載用電子機器などとしての活用が期待されるものとなる。
【符号の説明】
【００３６】
１  自動車
２  車内
３  ハンドル
４  映像再生機器
５  運転席
６  助手席
７  制御器
８  後席
９  表示器
１０  表示器
１１  赤外線リモコン
１２  赤外線受光部
１３  無線リモコン
１４  無線受信部
１５  制御部
１６  通信部
１７  通信部
１８  制御部
１９  発光素子
２０  制御部
２１  入力部
２２  切換スイッチ
２３  通信部
２４  制御部
２５  入力部
２６  メモリ
２７  スピーカ
【図１】
2015084460.tif 000003
【図２】
2015084460.tif 000004
【図３】
2015084460.tif 000005
【図４】
2015084460.tif 000006
【図５】
2015084460.tif 000007
【図６】
2015084460.tif 000008
【図７】
2015084460.tif 000009